(57)【要約】【課題】、十分な強度を維持しつつ効率的に薄肉厚化、及び軽量化したフード部を有するリール脚固定装置を提供する。【解決手段】本発明に係るリール脚固定装置は、魚釣用リールのリール脚が挿入される開口１５ｃを具備し、複数のプリプレグシートを積層して成形される筒状のフード部１５Ａを操作ナットによって軸方向に移動させるよう構成される。そして、フード部１５Ａは、周方向に指向する強化繊維の割合が、前記操作ナット側よりも多いことを特徴とする。【選択図】  図６
2015181454.tif 000002
【特許請求の範囲】
【請求項１】
魚釣用リールのリール脚が挿入される開口を具備し、複数のプリプレグシートを積層して成形される筒状のフード部を操作ナットによって軸方向に移動させるリール脚固定装置において、
前記フード部は、周方向に指向する強化繊維の割合が、前記操作ナット側よりも前記開口側の方が多いことを特徴とするリール脚固定装置。
【請求項２】
前記フード部は、軸長方向に亘って均一肉厚であることを特徴とする請求項１に記載のリール脚固定装置。
【請求項３】
前記周方向に指向する強化繊維による周方向繊維層は、開口側に向けて次第に厚肉化されることを特徴とする請求項１又は２に記載のリール脚固定装置。
【請求項４】
前記周方向に指向する強化繊維による周方向繊維層は、前記フード部の内層側に配設されることを特徴とする請求項１から３のいずれか１項に記載のリール脚固定装置。
【発明の詳細な説明】
【技術分野】
【０００１】
本発明は、釣竿に装着され、各種の魚釣用リールを取り付け可能とするリール脚固定装置に関する。
【背景技術】
【０００２】
従来、例えば、特許文献１に開示されているように、軸長方向に離間する移動フードと固定フードを備え、リール脚の一端を固定フードに差し込み、リール脚の他端を軸方向に移動する移動フードで押え付けることで、魚釣用リールを固定するタイプのリール脚固定装置が知られている。前記固定フード、及び移動フードは、元竿杆の外周に被着されるパイプ状のリールシートに配設されており、移動フードに隣接配置された操作ナットを回転することで移動フードを固定フードに対して接近／離反させ、これにより魚釣用リールの着脱がなされる。通常、上記したリール脚固定装置の移動フード及び固定フード（以下、フード部とも称する）は金属材料で形成されることが多く、差し込まれるリール脚が当接する部分（フード部の内面）に合成樹脂によるパッド部を配設するようにしている。
【０００３】
ところで、最近では、釣竿の軽量化を図ることが求められており、上記のように、フード部を金属材料で形成することは軽量化の妨げとなってしまう。このため、例えば、特許文献２には、強化繊維に合成樹脂を含浸したプリプレグシートを複数層重ね合わせ、これを筒状に成形することでフード部を形成することが開示されている。また、この特許文献２には、フード部を複数のプリプレグシートを積層して成形するにあたり、強度低下が生じないように、各層におけるプリプレグシートの重ね合わせ部をリール脚の脚保持部以外の領域に位置させることが開示されている。
【先行技術文献】
【特許文献】
【０００４】
【特許文献１】実開昭５７−１８７０６４号
【特許文献２】特開２０１４−１１９７５号
【発明の概要】
【発明が解決しようとする課題】
【０００５】
上記したフード部は、繊維強化樹脂材で形成することにより軽量化を図ることができるが、釣竿を軽量化するためには、可能な限り薄肉厚化して軽量化を図ることが望ましい。すなわち、フード部を薄肉厚化することで、その分、リール脚固定装置を軽量化することができるとともに、固定されるリール脚やリールシート本体との間での段差が少なくなって握り心地の向上を図ることも可能となる。
【０００６】
上記した特許文献２には、フード部の軽量化を図るにあたり、仕様が異なる複数枚のプリプレグシートを、重ね合せ部分の位置を脚保持部からずらすことが開示されているに過ぎず、フード部の強度の維持を図りつつ可能な限り薄肉厚化して軽量化を図ることについては考慮されていない。このため、無駄なプリプレグシートを配設する等、不必要な補強がされており、これによりフード部が厚肉化して十分な軽量化が達成されない、という問題がある。
【０００７】
また、特許文献２には、プリプレグシートをマンドレルに巻回するに際し、所定の位置に切欠きを形成しておき、皺の発生を防止することも開示されているが、プリプレグシートに切り込みを入れておくと、その位置では強化繊維が切れた状態となり、強度低下や破損等が生じる原因となってしまう。
【０００８】
本発明は、上記した問題に着目してなされたものであり、十分な強度を維持しつつ効率2的に薄肉厚化、及び軽量化したフード部を有するリール脚固定装置を提供することを目的とする。
【課題を解決するための手段】
【０００９】
上記した目的を達成するために、本発明に係るリール脚固定装置は、魚釣用リールのリール脚が挿入される開口を具備し、複数のプリプレグシートを積層して成形される筒状のフード部を操作ナットによって軸方向に移動させるよう構成されており、前記フード部は、周方向に指向する強化繊維の割合が、前記操作ナット側よりも前記開口側の方が多いことを特徴とする。
【００１０】
上記した構成のリール脚固定装置によれば、筒状のフード部を、複数のプリプレグシートを積層して成形するため軽量化が図れるようになる。この場合、フード部には、リール脚を挿入して固定する際、開口部分において周方向に沿って拡げるような負荷が作用するものの、この開口部分では、周方向に指向する強化繊維の割合が、操作ナット側よりも多くなるように配設されているため効率的な補強が可能となる。すなわち、フード部全体として無駄なプリプレグシートを配設することなく効率的な補強をしていることから、フード部の薄肉厚化及び軽量化が可能となる。
【発明の効果】
【００１１】
本発明によれば、十分な強度を維持しつつ効率的に薄肉厚化、及び軽量化したフード部を有するリール脚固定装置が得られるようになる。
【図面の簡単な説明】
【００１２】
【図１】リール脚固定装置が装着された釣竿の一例を示す図。
【図２】本発明に係るリール脚固定装置の一実施形態を示す側面図。
【図３】図２に示すリール脚固定装置において、移動フード部の構成を示す部分断面図。
【図４】（ａ）は図３の主要部の拡大図、（ｂ）は図（ａ）に示す移動フード部を開口側から見た図。
【図５】移動フード部を成形するプリプレグシートの配設例を示す図。
【図６】図５に示したプリプレグシートによって成形された移動フード部の構成を示す断面図。
【図７】（ａ）及び（ｂ）は、それぞれ移動フード部の別の実施形態を示す断面図。
【図８】図７（ａ）に示す移動フード部を成形するプリプレグシートの配設例を示す図。
【図９】更に別の実施形態の移動フード部を成形するプリプレグシートの配設例を示す図。
【図１０】膨出部を有しない移動フード部を有するリール脚固定装置を示す側面図。
【図１１】（ａ）は図１０に示す移動フード部の主要部を示す部分断面図、（ｂ）は図（ａ）に示す移動フードを開口側から見た図。
【発明を実施するための形態】
【００１３】
図１は、本発明に係るリール脚固定装置が装着される釣竿の一例を示す図である。
釣竿１は、複数の竿杆を継合することで構成されており、本実施形態では、元竿杆３、中竿杆５、及び穂先竿杆７の３本の竿杆を並継式で継合している。前記中竿杆５については無い構成であっても良いし、２本以上継合する構成であっても良い。また、釣竿は、並継式以外にも、１本竿、振り出し竿、中通し式など、その構成については特に限定されることはない。
【００１４】
前記元竿杆３には、魚釣用リール７０が装着されるリール脚固定装置１０が設けられ、各竿杆には、所定間隔をおいて、魚釣用リールから繰り出される釣糸を案内する複数の釣糸ガイド８（穂先竿杆７の先端はトップガイド８ａ）が装着されている。前記釣糸ガイド８については、竿杆に対して固定される固定ガイドとして構成されていても良いし、竿杆に沿って摺動可能な遊動ガイドとして構成されていても良い。
【００１５】
前記元竿杆３、中竿杆５及び穂先竿杆７は、強化繊維（主に炭素繊維やガラス繊維等）に、エポキシ樹脂等の合成樹脂を含浸した繊維強化樹脂材で構成されており、管状体、或いは、中実体として構成されている。
【００１６】
前記元竿杆３に設けられるリール脚固定装置１０は、固定フードと軸方向に移動する移動フードとを備えており、魚釣用リールのリール脚を固定フードに差し込んだ状態で、移動フードを軸方向に移動させることにより魚釣用リールを着脱する構成となっている。この場合、固定フードは、穂先側にあっても良いし、基端側にあっても良い。
以下、本実施形態のリール脚固定装置の構成について、図２から図６を参照して説明する。なお、これらの図において、図２は、リール脚固定装置の側面図、図３は、図２に示すリール脚固定装置において、移動フード部の構成を示す部分断面図、図４（ａ）は、図３の主要部の拡大図、図４（ｂ）は、図（ａ）に示す移動フードを開口側から見た図、図５は、移動フード部を成形するプリプレグシートの配設例を示す図、そして、図６は、図５に示したプリプレグシートによって成形された移動フードの構成を示す断面図である。
【００１７】
リール脚固定装置１０は、元竿杆３に対して外嵌される筒状に形成されたリールシート本体（以下、本体と称する）１１を備えている。本体１１は、例えば、合成樹脂によって一体形成されており、魚釣用リール７０のリール脚７１が載置される載置面１２と、載置面１２の穂先側に配設された固定フード１３と、載置面１２の基端側に配設された移動フード１５とを備えている。
【００１８】
前記固定フード１３は、本体１１に一体形成され、前記リール脚７１の穂先側脚部７１ａを収容できるように膨出したフード部１３Ａを備えており、リール脚７１の穂先側脚部７１ａは、フード部１３Ａの開口１３ａを介して挿入される。なお、フード部１３Ａは、後述する移動フードのフード部と同様、本体１１と別体として形成され、本体１１と一体化される構成であっても良い。
【００１９】
前記移動フード１５は、軸方向に沿って移動可能に構成され、本体１１と別体として形成されたフード部１５Ａを備えている。本実施形態のフード部１５Ａは、リール脚７１の基端側脚部７１ｂを収容できるように膨出した膨出部１５ａと、膨出部１５ａの基端側に一体形成された円筒部１５ｂとを備えている。すなわち、膨出部１５ａは、円筒部１５ｂの外周の所定範囲の円弧領域が穂先側に移行するに連れて次第に上昇する形状となっており、リール脚７１の基端側脚部７１ｂは、そのような膨出部１５ａの開口１５ｃを介して挿入される。
【００２０】
前記膨出部１５ａの内側には、挿入されるリール脚７１の基端側脚部７１ｂの表面と圧接するようにパッド部材１６が配設されている。このパッド部材１６は、移動フード１５が固定フード側に向けて移動された際、リール脚７１の基端側脚部７１ｂの表面に押し付けられる部分であり、リール脚を強固に固定する機能を有する。すなわち、パッド部材１６は、リール脚７１の基端側脚部７１ｂの表面と対応する形状に形成されており、突起１６ａを移動フード１５の膨出部１５ａに形成された孔１５ｄに嵌合することで膨出部１５ａの内面と一体化される。
【００２１】
前記本体１１の基端側には、雄螺子部１１ａが一体形成されており、この雄螺子部１１ａには、回転操作することで軸方向に沿って移動する操作ナット１８が螺合されている。操作ナット１８は、その前端部が前記移動フード１５のフード部１５Ａ（円筒部１５ｂ）と係合している。なお、ここでの係合関係は、操作ナット１８を締め付ける方向に回転操作した際、移動フード１５を回転させることなく固定フード側に移動させ、かつ、操作ナット１８を緩める方向に回転操作した際、移動フード１５を回転させることなく、固定フードから離れる方向に移動させるものであれば良い。
【００２２】
具体的には、図４（ａ）に示すように、操作ナット１８の円筒部１５ｂ側の端縁１８ｅに環状突起１８ａを形成し、この先端に径方向外方に突出する係止突起１８ｆを形成するとともに、円筒部１５ｂの操作ナット１８側の端縁１５ｅに、径方向内方に突出する係止突起１５ｆを形成し、これら係止突起１８ｆと係止突起１５ｆを係止することで構成されている。
【００２３】
このような操作部材１８とフード部１５Ａ（円筒部１５ｂ）の係合関係によれば、操作ナット１８を締め付ける方向に回転操作すると、操作ナット１８は固定フード側に向けて螺進するとともに、フード部１５Ａ（円筒部１５ｂ）は回転することなく、端縁１８ｅと端縁１５ｅとの当接関係によって固定フード側に向けて移動される。すなわち、載置面１２に載置されたリール脚７１は、一対のフード部（固定フード１３Ａ、移動フード１５Ａ）によって締め付け固定される。また、操作ナット１８を緩める方向に回転操作すると、操作ナット１８は固定フードから離れる方向に螺進するとともに、フード部１５Ａ（円筒部１５ｂ）は回転することなく、係止突起１５ｆ，１８ｆの係合関係によって固定フードから離反する方向に向けて移動される。すなわち、載置面１２に載置されたリール脚７１は、一対のフード部（固定フード１３Ａ、移動フード１５Ａ）から取り外すことが可能となる。
【００２４】
上記した移動フード１５のフード部１５Ａは、一定の強度が維持されて軽量化が図れるように、繊維強化樹脂材、具体的には、仕様が異なる複数のプリプレグシートを筒状となるように積層することで成形されている。この場合、プリプレグシートは、炭素繊維、ガラス繊維、アラミド繊維などの強化繊維が所定の方向に引き揃えられた状態、或いは編成されたシート状に構成されており、熱可塑性樹脂（例えば、ナイロン、ポリプロピレン、ポリフェニルサルファイド、熱可塑ポリウレタン）や熱硬化性樹脂（例えば、エポキシ樹脂、フェノール樹脂、ポリエステル樹脂）をマトリックス樹脂として含浸した構成となっている。
以下、フード部１５Ａの構成について詳細に説明する。
【００２５】
前記フード部１５Ａは、リール脚７１に対する締め付け力が大きくなると、その開口１５ｃの部分には、当て付いたリール脚７１の基端側脚部７１ｂの表面から開口を拡げようとする力が作用する。すなわち、膨出部１５ａの開口側、特に開口１５ｃの端縁領域については、強化繊維が軸長方向（元竿杆３の軸長方向）に引き揃えられた状態になっていると、軸長方向に亀裂が生じる傾向となり、強度低下し易くなる。このため、後述するように、開口領域については、開口を拡げようとする負荷に対抗するように、強化繊維が周方向に指向しているプリプレグシートが多く使用される。
【００２６】
また、フード部１５Ａの膨出部１５ａの開口以外の領域については、リール脚の締め付け状態において、上記したような開口を拡げようとする方向に作用する負荷は少ないものの、軸長方向に沿って撓む力が加わるようになる。このため、後述するように、開口領域から円筒部１５ｂに至る領域については、主に撓み方向の負荷に対抗するように、強化繊維が軸長方向に指向しているプリプレグシートが使用される。
【００２７】
図５は、上記したようなフード部１５Ａに作用する負荷を考慮したプリプレグシートの第１の配設例を示す図である。
フード部１５Ａは、所定形状に形成されたマンドレル８０に、仕様が異なる複数のプリプレグシート３０〜３２を巻回し、これを加熱して合成樹脂を硬化した後、マンドレル８０を脱芯することで成形される。
【００２８】
前記マンドレル８０の表面には、フード部１５Ａの形状と対応して膨出部８０ａと円柱部８０ｂが形成されている。すなわち、円柱部８０ｂは断面が円形状であり、フード部１５Ａの円筒部１５ｂを形成する部分となる。また、膨出部８０ａは、円柱部８０ｂの端部８０ｃの周方向の一部（挿入されるリール脚に対応する所定の円弧範囲）を前方に向けて次第に上昇するように傾斜させており（傾斜端部８０ｄはフード部１５Ａの膨出部１５ａの開口１５ｃに対応する）、フード部１５Ａの膨出部１５ａを形成する部分となる。
【００２９】
本実施形態では、マンドレル８０に対し、以下のように、フード部１５Ａの軸長方向全体に亘って配設されるプリプレグシート（本体プリプレグシート；本体層）３０，３１と、フード部１５Ａの開口領域を補強するプリプレグシート（補強プリプレグシート；補強層）３２を巻回することでフード部１５Ａが成形される。
【００３０】
フード部１５Ａの内層側は、強化繊維３０Ａが周方向に引き揃えられたプリプレグシート３０を軸方向に亘って巻回することで周方向繊維層３０が配設される（図６では、プリプレグシートと繊維層を同一の参照符号としてある）。ここで、プリプレグシート３０は、その後端縁３０ｂをマンドレルの円柱部８０ｂの部分に位置合わせし、前端縁３０ａをマンドレルの膨出部８０ａの傾斜端部８０ｄに位置合わせして巻回される。この結果、周方向に指向する強化繊維は、周方向に亘って切れることなく配設される。なお、プリプレグシート３０の前端縁３０ａについては、マンドレルの傾斜端部８０ｄよりも多少先側に巻回しておき、熱硬化した後、カットしても良い。
【００３１】
上記のように巻回されるプリプレグシート３０の外層側には、強化繊維３１Ａが軸長方向に引き揃えられたプリプレグシート３１が巻回されることで軸長方向繊維層３１が配設される。このプリプレグシート３０の後端縁３１ｂ、及び前端縁３１ａは、上記したプリプレグシート３０の後端縁３０ｂ、及び前端縁３０ａと一致するように位置付されて巻回される。この結果、軸長方向指向する強化繊維についても、軸長方向に亘って切れることなく配設される。
【００３２】
また、プリプレグシート３１の内層側（プリプレグシート３０の外層側）には、強化繊維３２Ａが周方向に引き揃えられた補強用のプリプレグシート３２が巻回される。このプリプレグシート３２は、後端縁３２ｂがマンドレルの膨出部８０ａの中間部に位置合わせされ、前端縁３２ａがプリプレグシート３０の前端縁３０ａ及びプリプレグシート３１の前端縁３１ａと一致するように位置合わせされて巻回される。この場合、補強用のプリプレグシート３２は、プリプレグシート３０を巻回した後、その上から巻回しても良いし、プリプレグシート３０の表面に取着されていても良い。或いは、プリプレグシート３１の裏側に取着されていても良い。
【００３３】
上記したプリプレグシート３０〜３２が巻回されて成形されたフード部１５Ａは、軸長方向に沿って断面視すると、図６に示すような構造となっている。すなわち、内層側には、上記したプリプレグシート３０によって、強化繊維が周方向に引き揃えられた周方向繊維層３０が軸長方向に亘って配設される。また、開口１５ｃ側には、周方向繊維層３０の外層側に、上記した補強用のプリプレグシート３２によって、強化繊維が周方向に引き揃えられた周方向繊維層３２が配設される。すなわち、膨出部１５ａの開口１５ｃ側は、周方向に指向する強化繊維の割合が、操作ナット１８側よりも多くなるように配設されている。そして、上記のような周方向繊維層３０，３２の外層側には、強化繊維が軸長方向に引き揃えられた軸長方向繊維層３１が軸長方向に亘って配設される。
【００３４】
上記した複数のプリプレグシート３０〜３２によって成形されたフード部１５Ａは、円筒部１５ｂと比較して、膨出部１５ａの開口１５ｃ側が補強用のプリプレグシート３２の分だけ厚肉化されている。また、円筒部１５ｂ側の端部に円周溝を形成することで、前記係止突起１５ｆが形成されている。
【００３５】
上記のようなフード部１５Ａを備えたリール脚固定装置によれば、筒状のフード部１５Ａを、複数のプリプレグシート３０〜３２を積層して成形したため軽量化が図れるようになる。この場合、フード部１５Ａには、リール脚７１を固定する際、開口部分において周方向に沿って拡げるような負荷が作用するものの、この開口部分では、周方向に指向する強化繊維の割合が操作ナット１８側よりも多くなるように配設されているため、破損等が生じることはない。すなわち、フード部全体として、強度が弱い部分を効率的に補強しているため、フード部として十分な強度を維持しつつ効率的に薄肉厚化、及び軽量化を図ることが可能となり、これにより、握り心地を向上することが可能となる。
【００３６】
また、本実施形態では、開口部分に配設される周方向繊維層は、挿入されるリール脚側となる内層側に配設しているため、開口部分における強度を効率的に向上することが可能となる。また、上記したように、周方向に指向する強化繊維は、１周巻回される際に途中で切れることなく配設されているため、強度低下や剥離等が生じることもなく、軸長方向に指向する強化繊維についても途中で切れた部分がないため、強度が低下するようなことはない。さらに、開口部分では、補強用のプリプレグシート３２の分だけ周方向繊維層を多くして厚肉化を図っているため、潰れ剛性が高くなり、潰れに対する強度を向上することが可能となる。
【００３７】
なお、周方向繊維層については、本実施形態のように、開口部分の内層側に配設することが好ましいが、操作ナット１８側と比較して周方向に指向している強化繊維の割合が相対的に多くなっていれば良く、内層側に配設されていなくても良い。例えば、補強用のプリプレグシート３２をプリプレグシート３１の裏面に取着し、複数回巻回することで、開口領域において、軸長方向繊維層と周方向繊維層を交互に積層した構成にしても良いし、プリプレグシート３１の表面に取着しても良い。すなわち、複数のプリプレグシート３０〜３２の積層の順番については任意である。
また、周方向に指向する強化繊維の割合については、開口１５ｃの部分（開口領域）と操作ナット１８側の部分とを比較して開口側の方が多くなっていれば良く、リール脚が挿入される領域において、周方向繊維層が略均一の肉厚になっていても良いし、開口側に向けて次第に肉厚が厚くなる構成であっても良い。或いは、操作ナット１８側と開口１５ｃ側との間に、周方向繊維層が薄くなる領域があったり、周方向繊維層が存在しない領域があっても良い。
【００３８】
また、本実施形態では、フード部１５Ａの全長に亘って、均一の肉厚の軸長方向繊維層３１が配設されているため、撓み方向に作用する負荷に対する強度の向上が図れる。
【００３９】
図７（ａ）及び（ｂ）は、それぞれフード部の別の実施形態を示す図である。
上記した実施形態では、フード部１５Ａの肉厚は、開口側を厚くしたが、軸長方向に亘って均一の肉厚にしても良い。この場合、開口側では、周方向に指向する強化繊維の割合を多くすることから、図７（ａ）に示すように、内層側に配設される周方向繊維層４０は膨出部１５ａの領域において、開口側に移行するに従い次第に厚肉化され、かつ、その厚肉化に伴い、軸長方向繊維層４１は次第に薄肉厚化するようにしている。
【００４０】
上記のような周方向繊維層４０及び軸長方向繊維層４１を有するフード部１５Ａは、例えば、図８に示すプリプレグシート４０，４１によって成形することが可能である。すなわち、フード部１５Ａの内層側は、強化繊維４０Ａが周方向に引き揃えられたプリプレグシート４０を巻回することで周方向繊維層とされる。ここで、プリプレグシート４０は、その後端縁４０ｂがマンドレルに対して１プライ、前端縁４０ａがマンドレルに対して２プライされるように傾斜縁４０ｃを備えた構成となっており、このように裁断されたプリプレグシート４０を巻回することによって、図７（ａ）に示すように、周方向繊維層４０を、膨出部１５ａにおいて開口側に向けて次第に厚肉化することが可能となる。
【００４１】
また、フード部１５Ａの外層側は、強化繊維４１Ａが軸長方向に引き揃えられたプリプレグシート４１を巻回することで軸長方向繊維層とされる。ここで、プリプレグシート４１は、その後端縁４１ｂがマンドレルに対して２プライ、前端縁４１ａがマンドレルに対して１プライされるように傾斜縁４１ｃを備えた構成となっており、このように裁断されたプリプレグシート４１を巻回することによって、図７（ａ）に示すように、軸長向繊維層４１を、膨出部１５ａにおいて開口側に向けて次第に薄肉厚化することが可能となる。
【００４２】
このように、フード部１５Ａの肉厚を軸長方向に亘って均一化するとともに、開口側における周方向に指向する強化繊維の割合を多くすることで、より効率的に強度を維持しつつ、全体を薄肉厚化、軽量化することが可能となる。この場合、フード部１５Ａでは、リール脚を締め付け固定した状態で魚釣用リールに対して元竿杆３の周りに大きな負荷が作用すると、リール脚の中心から距離が離れた位置程（リール脚７１の基端側脚部７１ｂの先端程）、撓み方向の負荷が大きくなる。上記したように、軸長向繊維層４１は膨出部１５ａの基端側の方が厚肉化されているため、フード部としてより効率的に強度を維持して、薄肉厚化、及び軽量化を図ることが可能となる。
【００４３】
なお、上記した構成では、周方向に指向する繊維の割合を、膨出部１５ａの領域で開口側に移行するに従い次第に厚肉化したが、図７（ｂ）に示すように、膨出部１５ａの領域において略均一となるように構成しても良い。
【００４４】
また、上記した実施形態では、強化繊維が一方向（周方向）に引き揃えられたプリプレグシートを用いたが、織布状に編成したプリプレグシートを用いても良い。例えば、図９に示すように、周方向に指向した強化繊維５１Ａ、及び軸長方向に指向した強化繊維５１Ｂを織布状にしたプリプレグシート５１を本体層として用いることも可能である。このような構成のプリプレグシートは、上述した実施形態と同様、後端縁５１ｂをマンドレル（図５参照）の円柱部８０ｂの部分に位置合わせし、前端縁５１ａをマンドレルの膨出部８０ａの傾斜端部８０ｄに位置合わせして巻回される。そして、このように巻回されたプリプレグシート５１の内層側には、強化繊維５０Ａが周方向に引き揃えられた補強用のプリプレグシート５０が巻回される。このプリプレグシート５２は、後端縁５０ｂがマンドレルの膨出部８０ａの中間部に位置合わせされ、前端縁５０ａがプリプレグシート５１の前端縁５１ａと一致するように位置合わせされて巻回される。
【００４５】
上記したプリプレグシート５０，５１でフード部１５Ａを成形しても、周方向に指向する強化繊維の割合が、操作ナット側よりも開口側の方が多くなるように配設されることから、上述した実施形態と同様な作用効果を発揮することが可能となる。また、フード部の表面は、強化繊維が編成された織布層となるため、強化繊維の裂けや剥離が効果的に防止でき、強度の向上、及び安定化が図れるようになる。
【００４６】
以上、本発明の実施形態について説明したが、本発明は、上記した構成に限定されることはなく、種々変形することが可能である。
【００４７】
本発明は、上述したように、リール脚固定装置のフード部を、繊維強化樹脂材によって成形するに際し、周方向に指向する強化繊維の割合を、操作ナット側よりも開口側の方が多くなるようにすることで、効率的に強度を向上して軽量化、薄肉厚化を図ることに特徴がある。このため、フード部を成形するプリプレグについては、強化繊維の種類や弾性率、樹脂含浸量、肉厚などの構成、及び積層状態等については、種々変形することが可能である。また、上記した実施形態では、撓みに対する強度を向上するために、軸長方向に指向する強化繊維を用いたが、軸長方向に対して所定の角度を有する斜向方向に指向した強化繊維を用いても良い。このような斜向方向に指向する強化繊維を用いることで、膨出部１５ａや円筒部１５ｂにおける捩じれ方向に対する強度を向上することが可能となる。
【００４８】
前記フード部１５Ａの円筒部１５ｂは、周方向に指向する強化繊維が存在しなくても良いが、操作ナット１８との合わせ部分であるとともに真円となっているため、周方向繊維層が存在することが好ましい。また、フード部１５Ａの開口側についても周方向繊維層のみで構成しても良いが、軸長方向繊維層、織布層、斜向方向繊維層が存在することが好ましい。この場合、周方向を含んで三方向に強化繊維が指向した状態となるプリプレグを用いることで、効率良く、軽量で強度的に優れたフード部とすることが可能となる。
【００４９】
上記したリール脚固定装置のフード部１５Ａは、膨出部１５ａを有する構成となっていたが、フード部としては膨出部がない構成であっても良い。例えば、図１０及び図１１に示すように、移動フード１５のフード部１５Ａを円筒部１５ｂで構成し、操作ナット１８の外径と同一の外径にしたまま、膨出部を形成することなく、リール脚を挿入する開口１５ｃを形成することも可能である。このような構成では、フード部１５Ａの内面に取着されるパッド部材１６を、図３に示した構成よりも多少厚肉化して、挿入されるリール脚と対応する内面を具備した形状に形成すれば良い。このようなフード部１５Ａによれば、フード部を成形するためのマンドレルは円柱状に構成することができ、上述したようなプリプレグシートの巻回作業が容易に行えるようになる。
また、上記した構成については、固定フード１３のフード部１３Ａに適用しても良い。この場合、固定フードでは、周方向の強化繊維の割合が、基端側よりも開口側が多くなるように構成されていれば良い。さらに、上記したように成形されるフード部については、外観向上や表面の保護のために塗装をしたり、金属やセラミックスを蒸着等しても良い。
【符号の説明】
【００５０】
１０  リール脚固定装置
１３Ａ，１５Ａ  フード部
１５ａ  膨出部
１５ｂ  円筒部
１５ｃ  開口
３０，３２，４０  周方向繊維層
７０  魚釣用リール
７１  リール脚
【図１】
2015181454.tif 000003
【図２】
2015181454.tif 000004
【図３】
2015181454.tif 000005
【図４】
2015181454.tif 000006
【図５】
2015181454.tif 000007
【図６】
2015181454.tif 000008
【図７】
2015181454.tif 000009
【図８】
2015181454.tif 000010
【図９】
2015181454.tif 000011
【図１０】
2015181454.tif 000012
【図１１】
2015181454.tif 000013